【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
第１のネットワークサブシステム内部でのその物理的位置と割り当てられた論理アドレスとが判明している第１のネットワークデバイスを含む第１のネットワークサブシステム、及び
最初は第２のネットワークサブシステム内部でのその物理的位置と割り当てられた論理アドレスとが判明していない第２のネットワークデバイスを含む第２のネットワークサブシステムであって、第２のネットワークデバイスが第１のネットワークデバイスと既知の空間関係を有する、第２のネットワークサブシステム、を備えるシステムにおいて、
第１のネットワークデバイスは、その物理的位置を第２のネットワークデバイスに伝達するように構成されており、
第２のネットワークデバイスは、第１のネットワークデバイスの物理的位置、及び第１のネットワークデバイスと第２のネットワークデバイスとの既知の空間関係に基づいて、その物理的位置を少なくとも部分的に導出するように構成されており、第２のネットワークデバイスは、さらに、導出されたその物理的位置を使用して、第２のネットワークサブシステム内部でのその論理アドレスの割り当てを受けるように構成されており、
第２のネットワークサブシステムは、第２のネットワークサブシステムのネットワークデバイスの物理的位置を含むポールリクエストを伝達するように構成されたヘッドエンドをさらに含み、
第２のネットワークデバイスは、前記ポールリクエスト内の物理的位置が、導出されたその物理的位置と一致する場合に、前記ポールリクエストに応答するように構成されており、それにより、第２のネットワークデバイスに第２のネットワークサブシステム内部でのその論理アドレスが割り当てられる、
システム。
【請求項２】
第１のネットワークデバイスは、第１のネットワークデバイスと第２のネットワークデバイスとのポイント・トゥ・ポイント接続を介してその物理的位置を伝達するように構成されている、請求項１に記載のシステム。
【請求項３】
最初は第３のネットワークサブシステム内部でのその物理的位置と割り当てられた論理アドレスとが判明していない第３のネットワークデバイスを含む第３のネットワークサブシステムであって、第３のネットワークデバイスが第１のネットワークデバイス及び第２のネットワークデバイスの一方又は両方と既知の空間関係を有する、第３のネットワークサブシステムをさらに備え、
第１のネットワークデバイス又は第２のネットワークデバイスは、その物理的位置を第３のネットワークデバイスに伝達するように構成されており、  
第３のネットワークデバイスは、第１のネットワークデバイス又は第２のネットワークデバイスの物理的位置、並びに第１のネットワークデバイス又は第２のネットワークデバイスと第３のネットワークデバイスとの既知の空間関係に基づいて、その物理的位置を少なくとも部分的に導出するように構成されており、
第３のネットワークデバイスは、さらに、導出されたその物理的位置を使用して、第３のネットワークサブシステム内部でのその論理アドレスの割り当てを受けるように構成されている、
請求項１に記載のシステム。
【請求項４】
いずれのネットワークサブシステムにも含まれない遠隔装置であって、最初はその物理的位置が判明しておらず、第１のネットワークデバイス及び第２のネットワークデバイスの一方又は両方と既知の空間関係を有する遠隔装置をさらに備え、
第１のネットワークデバイス又は第２のネットワークデバイスは、その物理的位置を前記遠隔装置に伝達するように構成されており、
前記遠隔装置は、第１のネットワークデバイス又は第２のネットワークデバイスの物理的位置、並びに第１のネットワークデバイス又は第２のネットワークデバイスと前記遠隔装置との既知の空間関係に基づいて、その物理的位置を少なくとも部分的に導出して格納するように構成されている、
請求項１に記載のシステム。
【請求項５】
プロセッサと、コンピュータにより読み取り可能なプログラムコード部分を保存するメモリとを含む通信デバイスであって、
前記プログラムコード部分が、前記プロセッサによる実行に応じて、前記通信デバイスに、少なくとも、
ネットワークサブシステムのネットワークデバイスの物理的位置を受信させ、前記通信デバイスは、前記ネットワークサブシステムの外部にあり、前記ネットワークデバイスと既知の空間関係を有しており、その論理アドレスが最初は未知である第２のネットワークサブシステムの第２のネットワークデバイスであり、
前記ネットワークデバイスの物理的位置、及び前記通信デバイスと前記ネットワークデバイスとの既知の空間関係に基づいて、前記通信デバイスの物理的位置を少なくとも部分的に導出させ、
その導出された物理的位置を保存させ、
導出されたその物理的位置を使用して、第２のネットワークサブシステム内部でのその論理アドレスの割り当てを受けさせ、これにより、前記通信デバイスは、その論理アドレスを使用して第２のネットワークサブシステムと通信することができ、
前記通信デバイスに第２のネットワークサブシステム内部での前記論理アドレスを割り当てを受けさせることが、前記通信デバイスに、
ヘッドエンドから第２のネットワークサブシステムのネットワークデバイスの物理的位置を含むポールリクエストを受けさせ、かつ、
前記ポールリクエスト内の物理的位置が、導出されたその物理的位置と一致する場合に、前記ポールリクエストに応答させることを含む、通信デバイス。
【請求項６】
前記通信デバイスに、前記ネットワークデバイスの物理的位置を、前記通信デバイスと前記ネットワークデバイスとのポイント・トゥ・ポイント接続を介して受信させる、請求項５に記載の通信デバイス。
【請求項７】
前記通信デバイスに、その導出された物理的位置を第３のネットワークサブシステムの第３のネットワークデバイスに伝達させる、請求項５に記載の通信デバイス。
【請求項８】
第１のネットワークサブシステム及び第２のネットワークサブシステムを備えるシステム内部での通信方法であって、第１のネットワークサブシステムは、第１のネットワークサブシステム内部でのその物理的位置と割り当てられた論理アドレスとが判明している第１のネットワークデバイスを含み、第２のネットワークサブシステムは、第２のネットワークサブシステム内部での物理的位置と割り当てられた論理アドレスとが最初は判明していない第２のネットワークデバイスを含み、第２のネットワークデバイスは第１のネットワークデバイスと既知の空間関係を有している方法において、
第１のネットワークデバイスがその物理的位置を第２のネットワークデバイスに伝達することと、
第２のネットワークデバイスが、第１のネットワークデバイスの物理的位置、及び第１のネットワークデバイスと第２のネットワークデバイスとの既知の空間関係に基づいてその物理的位置を少なくとも部分的に導出することと、
第２のネットワークデバイスが、導出されたその物理的位置を使用して、第２のネットワークサブシステム内部でのその論理アドレスの割り当てを受け取ることと
を含み、
第２のネットワークサブシステムはヘッドエンドをさらに含み、方法は、
ヘッドエンドが、第２のネットワークサブシステムのネットワークデバイスの物理的位置を含むポールリクエストを伝達することと、
前記ポールリクエスト内の物理的位置が、導出されたその物理的位置と一致する場合に、第２のネットワークデバイスが前記ポールリクエストに応答し、それにより第２のネットワークデバイスに第２のネットワークサブシステム内部での論理アドレスが割り当てられることと
をさらに含む、方法。
【請求項９】
第１のネットワークデバイスが、その物理的位置を、第１のネットワークデバイスと第２のネットワークデバイスとのポイント・トゥ・ポイント接続を介して伝達する、請求項８に記載の方法。
【請求項１０】
前記システムは第３のネットワークサブシステムをさらに備え、第３のネットワークサブシステムは、第３のネットワークサブシステム内部でのその物理的位置と割り当てられた論理アドレスとが最初は判明していない第３のネットワークデバイスを含み、第３のネットワークデバイスは第１のネットワークデバイス及び第２のネットワークデバイスの一方又は両方と既知の空間関係を有しており、方法がさらに、
第１のネットワークデバイス又は第２のネットワークデバイスがその物理的位置を第３のネットワークデバイスに伝達することと、
第３のネットワークデバイスが、第１のネットワークデバイス又は第２のネットワークデバイスの物理的位置、並びに、第１のネットワークデバイス又は第２のネットワークデバイスと第３のネットワークデバイスとの既知の空間関係に基づいて、その物理的位置を少なくとも部分的に導出することと、
第３のネットワークデバイスが、導出されたその物理的位置を使用して、第３のネットワークサブシステム内部でのその論理アドレスの割り当てを受けることと
を含む、請求項８に記載の方法。
【請求項１１】
前記システムは、いずれのネットワークサブシステムにも含まれない遠隔装置をさらに備え、前記遠隔装置の物理的位置は、最初は判明しておらず、前記遠隔装置は第１のネットワークデバイス及び第２のネットワークデバイスの一方又は両方と既知の空間関係を有しており、方法がさらに、
第１のネットワークデバイス又は第２のネットワークデバイスが、その物理的位置を前記遠隔装置に伝達することと、
前記遠隔装置が、第１のネットワークデバイス又は第２のネットワークデバイスの物理的位置、並びに第１のネットワークデバイス又は第２のネットワークデバイスと前記遠隔装置との既知の空間関係に基づいて、その物理的位置を少なくとも部分的に導出して格納することと
を含む、請求項８に記載の方法。
【請求項１２】
通信デバイスが、ネットワークサブシステムのネットワークデバイスの物理的位置を受信し、前記通信デバイスは、前記ネットワークサブシステムの外部にあり、前記ネットワークデバイスと既知の空間関係を有しており、その論理アドレスが最初は未知である第２のネットワークサブシステムの第２のネットワークデバイスであり、
前記通信デバイスが、前記ネットワークデバイスの物理的位置、及び前記通信デバイスと前記ネットワークデバイスとの既知の空間関係に基づいて、前記通信デバイスの物理的位置を少なくとも部分的に導出し、
前記通信デバイスが、その導出された物理的位置を保存し、
前記通信デバイスが、導出されたその物理的位置を使用して、第２のネットワークサブシステム内部でのその論理アドレスの割り当てを受け、これにより、前記通信デバイスは、その論理アドレスを使用して第２のネットワークサブシステムと通信することができ、
前記通信デバイスが第２のネットワークサブシステム内部でのその論理アドレスの割り当てを受けることが、前記通信デバイスが、
ヘッドエンドから第２のネットワークサブシステムのネットワークデバイスの物理的位置を含むポールリクエストを受け、かつ、
前記ポールリクエスト内の物理的位置が、導出されたその物理的位置と一致する場合に、前記通信デバイスが、前記ポールリクエストに応答することを含む、方法。
【請求項１３】
前記通信デバイスが、前記ネットワークデバイスの物理的位置を、前記通信デバイスと前記ネットワークデバイスとのポイント・トゥ・ポイント接続を介して受信する、請求項１２に記載の方法。
【請求項１４】
前記通信デバイスが、その導出された物理的位置を第３のネットワークサブシステムの第３のネットワークデバイスに伝達する、請求項１２に記載の方法。